(57)【特許請求の範囲】
【請求項１】
原反ロールからトイレットロールの製品幅の複数倍幅以上でかつ長尺のトイレットペーパー原紙を巻き出して、その先端部をコアシャフトに接触させる工程と、
トイレットペーパー原紙の先端部を接触させた状態でコアシャフトに向けて接着糊を噴射しつつコアシャフトを回転させて芯部分を形成する工程と、
接着糊の噴射を停止させた状態でコアシャフトを回転させ、コアシャフトに対してトイレットペーパー原紙をトイレットロールの径に巻き付ける工程と、
前記コアシャフトを引き抜いて、トイレットロール製品の製品幅の複数倍幅以上の管芯無しログを形成する工程と、
ログをトイレットロール製品の製品幅に裁断する工程と、を有するトイレットロールの製造方法において、
前記接着糊に対して、所定波長の光及び試薬の少なくとも一方に対して異なる色に呈色する識別薬を混合することとし、かつ、製品出所単位毎に呈色の色が異なる識別薬に変更することを特徴とする出所情報識別機能を有する管芯無しトイレットロールの製造方法。
【請求項２】
管芯の無い管芯無しトイレットロールであって、トイレットロールの芯際を固めるための接着糊中に所定波長の光及び試薬の少なくとも一方に対して呈色する、製品出所単位に対応する識別薬が混合され、その識別薬の呈色による色によって出所が特定可能とされている、ことを特徴とする出所情報識別機能を有する管芯無しトイレットロール。
【発明の詳細な説明】
【技術分野】
【０００１】
本発明は、出所情報識別機能を有する管芯無しトイレットロールの製造方法、出所情報識別機能を有する管芯無しトイレットロールに関する。
【背景技術】
【０００２】
長尺のトイレットペーパーを巻いたトイレットロールにおいては、紙管と呼ばれる管芯にトイレットペーパーを巻き付けた、所謂、芯有りタイプのものと、管芯のない管芯無しタイプのものがある（この管芯無しタイプのものは、単に芯無し、或いはコアレスと称されることもある）。
【０００３】
ここで、管芯有りトイレットロールにおいては、上記紙管の内周面にメーカー名、ロットナンバー、生産日、生産工場名等の出所情報が印刷等されている。これは、生産工場外へ流通したトイレットロールが返品等された際に、そのトイレットロールの出所情報に基づき上記メーカー名、ロットナンバー、生産日、生産工場等を識別可能にするためである。
【０００４】
しかし、管芯無しタイプのトイレットロールでは、上記出所情報を付与することができず、返品された際に、そのトイレットロールのメーカー名、ロットナンバー、生産日、生産工場を識別することができない。
【０００５】
ここで、トイレットロールにおいては、トイレットペーパーに対して、エンボスが付与されることがあり、このエンボスパターンが各社の生産業者において相違するため、このエンボスパターンによって、生産メーカーの識別を行なうことが考えられる。しかし、管芯無しトイレットロールは、古紙配合の安価な製品であることが多いため、エンボス等の付加価値が付与されていない製品が多く、エンボスパターンによる識別ができない製品が多い。また、エンボスパターンでは、上記生産業者程度しか識別できず、ロットナンバー、生産日、生産工場まで特定することができない。
【先行技術文献】
【特許文献】
【０００６】
【特許文献１】特許４６８９２２３号
【特許文献２】特許２６７１２５０号
【発明の概要】
【発明が解決しようとする課題】
【０００７】
そこで、本発明の主たる課題は、管芯無しトイレットロールにおいて、出荷後にも、そのメーカー名、ロットナンバー、生産日、生産工場等を識別可能とすることにある。
【課題を解決するための手段】
【０００８】
上記課題を解決した本発明及び参考発明は以下のとおりである。
〔請求項１記載の発明〕
原反ロールからトイレットロールの製品幅の複数倍幅以上でかつ長尺のトイレットペーパー原紙を巻き出して、その先端部をコアシャフトに接触させる工程と、
トイレットペーパー原紙の先端部を接触させた状態でコアシャフトに向けて接着糊を噴射しつつコアシャフトを回転させて芯部分を形成する工程と、
接着糊の噴射を停止させた状態でコアシャフトを回転させ、コアシャフトに対してトイレットペーパー原紙をトイレットロールの径に巻き付ける工程と、
前記コアシャフトを引き抜いて、トイレットロール製品の製品幅の複数倍幅以上の管芯無しログを形成する工程と、
ログをトイレットロール製品の製品幅に裁断する工程と、を有するトイレットロールの製造方法において、
前記接着糊に対して、所定波長の光及び試薬の少なくとも一方に対して異なる色に呈色する識別薬を混合することとし、かつ、製品出所単位毎に呈色の色が異なる識別薬に変更することを特徴とする出所情報識別機能を有する管芯無しトイレットロールの製造方法。
【０００９】
〔請求項２記載の発明〕
管芯の無い管芯無しトイレットロールであって、トイレットロールの芯際を固めるための接着糊中に所定波長の光及び試薬の少なくとも一方に対して呈色する、製品出所単位に対応する識別薬が混合され、その識別薬の呈色による色によって出所が特定可能とされている、ことを特徴とする出所情報識別機能を有する管芯無しトイレットロール。
【００１０】
〔参考発明〕
管芯無しトイレットロールの出所を識別する方法であって、
管芯無しトイレットロール製造時に、コアシャフトに対して付与する巻き開始部分を形成するための接着糊中に所定波長の光及び試薬の少なくとも一方に対して呈色する識別薬を混合して芯を形成することとし、
その識別薬をトイレットロールの出所毎に予め異ならしめ、
製造後にそのトイレットロールの芯部分に対して、上記識別薬に対応する前記所定波長の光及び試薬の少なくとも一方を付与して、前記芯部分を呈色させ、その色によって出所を識別することを特徴とする芯無しトイレットロールの出所識別方法。
【発明の効果】
【００１１】
以上の本発明によれば、管芯無しトイレットロールにおいて、出荷後にも、そのメーカー名、ロットナンバー、生産日、生産工場等の識別が可能となる。
【図面の簡単な説明】
【００１２】
【図１】本発明にかかる管芯無しトイレットロールの概略図である。
【図２】本発明にかかる管芯無しトイレットロールの製造装置例を示す図である。
【図３】本発明にかかる管芯無しトイレットロールの製造方法を示す図である。
【発明を実施するための形態】
【００１３】
以下に本発明にかかる管芯無しトイレットロールＸ１について図面を参照しながら詳述する。
本発明にかかるトイレットロールＸ１は、図１に示すように、所謂紙管とも称される管芯がない管芯無しトイレットロールＸ１であり（以下、単にトイレットロールともいう）、その芯部分１は、接着糊によりトイレットロールＸ１を構成するトイレットペーパー自体が固着されて形成されたものである。そして、本発明のトイレットロールＸ１においては、その芯部分１を固着している接着糊中に、所定波長の光及び試薬の少なくとも一方に対して呈色する識別薬が混合されている。
【００１４】
この本発明のトイレットロールＸ１について、製造方法とともに更に詳述する。製造方法は、次のとおりである。まず、図２に示されるとおり、抄紙設備にて製造した原反ロールＪＲからトイレットロールＸ１の製品幅の複数倍幅以上でかつ長尺のトイレットペーパー原紙２を巻きだし、そのトイレットペーパー原紙２の端部を一対の巻き取りローラ３１，３１上に載せる。この際にトイレットペーパー原紙の先端部２ｔが下流側の巻き取りローラよりもさらに下流側に位置して巻き取りローラより露出するようにする。
【００１５】
その後に図３（Ａ）に示すように、コアシャフト３０を上方から下方に向かって移動させ、前記トイレットペーパー原紙がコアシャフト３０と前記巻き取りローラ３１，３１との間に介在され、かつ、前記先端部２ｔが前記コアシャフト３０よりも下流側に露出された状態で、コアシャフトを前記一対の巻き取りローラ３１，３１により支持する。
【００１６】
次いで、図３（Ｂ）に示すように、その先端部２ｔに下方からエアノズル等の折り返し手段３２によって圧縮空気Ａなどを噴射してコアシャフト３０に先端部２ｔが巻かれるように折り返す。
【００１７】
トイレットペーパー原紙２の先端部２ｔを折り返しコアシャフト３０に巻き掛けたならば、図３（Ｃ）に示すように、噴霧手段３３から接着糊Ｓをコアシャフト３０に向けて噴射し、かかる噴射を行ないつつコアシャフト３０を回転させて、トイレットペーパー原紙２の端部を適宜の長さ仮固着させて芯部分１を形成する。
【００１８】
このように芯部分１が形成した後には、図３（Ｄ）に示すように、ライダーロール３４とも称される巻き取り装置を仮固着部分（芯部分１）に当接させ回転させ、トイレットロールの製品直径に至るまでトイレットロール原紙２をコアシャフト３０に巻き付ける。
【００１９】
なお、前記コアシャフト３０は、一般的に断面が実質的真円の筒状、中空又は中実の棒状をなし、その断面直径は、５〜５０ｍｍ程度であり、長さは概ね１〜３ｍである。また、シャフトの材質は、限定されないものの金属製、特にステンレス製、なかでもＳＵＳ３０４が最も好ましく用いられる。
【００２０】
コアシャフト３０に対してトイレットペーパー原紙２をトイレットロールの製品径にまで巻き付けた後には、原反ロールＪＲからのトイレットペーパー原紙とコアシャフト３０に巻き付けられたトイレットロール原紙との間で、図示しないカッター手段などによって切り離し、その切り離し端部にテールシール用糊を付けて、コアシャフト３０に巻き付けられている筒状部分に接着する。所謂テールシールとも称される作業である。図１において、テールシール部分を符号３で示している。テールシール糊としては、水または、ポリビニルアルコール等の水性接着剤をそれぞれもしくは混合させて用いることができる。
【００２１】
このようにコアシャフト３０に対してトイレットペーパー原紙２を、トイレットロールの製品径に巻き付けた後、コアシャフト３０を回転方向に直行する方向、すなわちコアシャフト３０の軸心延在方向に引き抜き、トイレットロールＸ１の製品の径であり、かつ、トイレットロールＸ１の製品幅の複数倍幅の所謂ログとする。
【００２２】
このログを製造した後には、これを図示しないログカッターにて幅方向に適宜の大きさ、例えばログの両側端をトリムした後、製品幅に裁断してトイレットロールＸ１とする。
【００２３】
ここで、本発明における管芯無しトイレットロールＸ１を製造するにあたっては、上述のとおり、特徴的に、芯部分１を形成するための接着糊Ｓに対して、所定波長の光及び試薬の少なくとも一方に対して呈色する識別薬を混合する。このように識別薬を混合することで、製品となって市場に出荷された後においても、そのトイレットロールＸ１はその芯部分１に、当該識別薬に対応する所定波長の光を照射したり、或いは試薬を滴下することで反応等させて呈色させることが可能となる。
【００２４】
なお、芯を形成するための接着糊としては、水または、ポリビニルアルコール等の水性接着糊をそれぞれもしくは混合させて用いることができる。また、識別薬は上記所定波長の光及び試薬の少なくとも一方に対して呈色させない状態においては、無色透明なものであるのが望ましい
【００２５】
識別薬の具体例としては、エスクリン、ジアミノスチルベンゼンスルホン酸、ビス（トリアジニルアミド）スチルベンジルスルホン酸、クマリン誘導体、ピラゾリン誘導体、蛍光ラッテクス、日本化薬株式会社製Kayaphor EXN Liquid等の蛍光染料、チモールフタレイン（ブロモチモールブルー）、フェノールフタレイン、フェノールレッド、クレゾールレッド、澱粉等が挙げられる。接着糊に混合する識別薬は一種のみならず、適宜複数種を組み合わせて使用することができる。例えば、蛍光染料とチモールフタレインの双方を混合するようにしてもよい。なお、蛍光染料を使用するのであれば、一般的なものでもよいが安全性の高い医療用のものが望ましい。
【００２６】
前記蛍光染料であれば、所謂ブラックライトとも称される長波長の紫外線を照射することで発光するように呈色させることができる。また、チモールフタレインであれば、酸或いはアルカリの試薬を滴下して呈色させることができる。フェノールフタレインであれば、アルカリの試薬を滴下して呈色させることができる。さらに、澱粉であればヨウ素を試薬として滴下することで呈色させることができる。なお、識別薬と試薬、光の組み合わせは上記例に限定されるものではない。
【００２７】
また、接着糊に対する識別薬の混合量は特に限定されないが、目視にて十分に呈色が視認できる程度の混合割合とする。具体例としては、上記蛍光染料であれば１００倍程度に希釈したものを接着糊１００重量部に対して５〜２０重量部混合すればよい。但し、５重量部未満の場合には、目視にて可能な程度にまで呈色がされないおそれがあるため好ましくなく、２０重量部より多い場合には、トイレットペーパー原紙が変色してしまうため好ましくない。
【００２８】
ここで、本発明におけるトイレットロールＸ１の製造方法においては、単に接着糊Ｓを識別薬に混合させたものとするだけではなく、その識別薬を製造工場、製造装置、製造ロット、生産日、生産時、製品種等の所定の製品出所単位毎に異ならしめるようにする。
【００２９】
例えば、○月○日〜△月△日までの期間に製造するものについては、識別薬として澱粉を用い、×月×日から◎月◎日までの期間に製造するものについては、識別薬としてフェノールフタレインを用いる。また、例えば、Ａ工場で製造するものについては、識別薬としてチモールブルーを用い、Ｂ工場で製造するものについては、識別薬としてフェノールフタレインを用いる。このように、時、場所、生産者等の出所が異なる毎に、識別薬を対応するように異ならしめる。
【００３０】
なお、本発明における出所とは、少なくとも上記例の製造工場、製造装置、製造ロット、生産日、生産時、製品種を含む意味とする。
【００３１】
かくして製造された本発明にかかる管芯無しトイレットロールＸ１は、市場に出荷された後など生産後に、何らかの事由によって消費者から返品されたトイレットロールの芯部分に対して、試薬或いは所定波長の光を照射することで、そのトイレットロールの時、場所、生産者等の出所を特定することが可能となる。そして、例えば、その返品理由が不良品であるなどの場合には、その発生事由や発生場所、発生装置、発生日時等を特定することが可能となり、迅速な品質改善を行なうことが可能となる。
【００３２】
また、特に本発明にかかるトイレットロールＸ１においては、特に芯部分１を形成するための接着糊に対して識別薬を混合することとしたので、使用途中等でなんらかの返品事由が生じても、完全に使いきらない限り芯部分１は残るので、かかる使用途中のものであってもトイレットロールの出所を識別することが可能である。
【００３３】
ここで、本発明にかかるトイレットロールＸ１は、構成するトイレットペーパー原紙２の積層数（プライ数）や組成は従来既知の技術による。例えば、一枚重ねの所謂シングルと呼ばれるものから、二枚重ねのダブル、三枚重ねのトリプル程度とすることができる。
【００３４】
ただし、過度にプライ数が多くなると、コアシャフトに付着した水等の接着糊が過度に吸収されて、コアシャフト３０とトイレットペーパー原紙２との間に存在する液体が減少し、効果的なシャフト引き抜き操作が発揮されなくなるおそれが高まる。
【００３５】
また、トイレットペーパー原紙２の組成についても特に限定されず、原料パルプを主とする抄紙原料を、公知の抄紙設備及び抄紙工程、具体的には、ワイヤパート、プレスパート、ドライヤパート、サイズプレス、カレンダパート等を経るなどして製造したものとすることができる。
【００３６】
もちろん、抄紙に際しては、例えば、分散剤、苛性ソーダ、アンモニア水等のｐＨ調整剤、消泡剤、防腐剤、離型剤、耐水化剤、流動変性剤、歩留まり向上剤などの適宜の薬品を添加することができる。
【００３７】
他方、本発明にかかる連続衛生薄葉紙の米坪は、ＪＩＳ Ｐ ８１２４の米坪測定方法における値が、１２．５〜２５．０ｇ／ｍ2である。（なお、ここでの米坪は、積層構造の場合には、層を構成する一枚当たりのものである。）当該範囲を超えると、シャフトへの吸い付きが悪化する。
【符号の説明】
【００３８】
Ｘ１…管芯無しトイレットロール、ＪＲ…原反ロール、１…管芯無しトイレットロールの芯部分、２…トイレットペーパー原紙、３…テールシール部分、２ｔ…トイレットペーパー原紙の先端部、３０…コアシャフト、３１…巻き取りローラ、３２…エアノズル、３３…噴霧手段、３４…ライダーロール、Ａ…圧縮空気、Ｓ…接着糊。
【図１】
0005922468.tif 000002
【図２】
0005922468.tif 000003
【図３】
0005922468.tif 000004